(57)【特許請求の範囲】
【請求項１】
コイル状の薄板金属材から長さの異なる金属板を切断し、径方向の端面同士を溶接して径の異なる複数個の金属パイプを製作した後、この金属パイプをテーパー型で型押し加工してテーパーワッシャーとし、内側のテーパーワッシャーの外弧部分と外側のテーパーワッシャーの内弧部分とを溶接することにより、径方向に複数山のベローズが設けられた金属シール部品を製造することを特徴とする金属シール部品の製造方法。
【請求項２】
一枚の薄板金属材から径が異なる複数枚の同軸扇形状の金属ワッシャー材を同一の径方向寸法で連続的に切断し、各金属ワッシャー材の径方向端面同士を溶接して複数個のテーパー筒状の金属ワッシャーを成形した後、内側の金属ワッシャーの外弧部分と外側の金属ワッシャーの内弧部分とを溶接することにより、径方向に複数山のベローズが設けられた金属シール部品を製造することを特徴とする金属シール部品の製造方法。
【請求項３】
一枚の薄板金属材から一枚の扇形状の金属パイプ材を切断し、金属パイプ材の径方向端面同士を溶接して一本のテーパー筒状の金属パイプを成形した後、金属パイプを同一の径方向寸法で連続的に切断して口径が異なる複数個のテーパー筒状の金属ワッシャーを成形し、内側の金属ワッシャーの外弧部分と外側の金属ワッシャーの内弧部分とを溶接することにより、径方向に複数山のベローズが設けられた金属シール部品を製造することを特徴とする金属シール部品の製造方法。
【請求項４】
一枚の薄板金属材から一枚の長方形状の金属パイプ材を切断し、金属パイプ材の端面同士を溶接して一本の筒状の金属パイプを成形した後、金属パイプをテーパー型で型押し加工し、型押し加工された金属パイプを同一の径方向寸法で連続的に切断して口径が異なる複数個のテーパー筒状の金属ワッシャーを成形し、内側の金属ワッシャーの外弧部分と外側の金属ワッシャーの内弧部分とを溶接することにより、径方向に複数山のベローズが設けられた金属シール部品を製造することを特徴とする金属シール部品の製造方法。
【発明の詳細な説明】
【技術分野】
【０００１】
本発明は、例えば真空断熱管や真空断熱容器における内壁と外壁との間の熱影響差による収縮・膨張誤差を吸収し及び小面間で大きな角度変位を吸収することができる金属シール部品の製造方法に関する。
【背景技術】
【０００２】
近年、液化燃料の開発進歩に伴い、低温流体の配管や容器が必要となり、真空断熱の技術が活用され始めている。また、液化燃料の大量送給、大量輸送の技術進歩から、配管や容器の大型化も進んでいる。【０００３】
このような液化燃料の容器として、下記の特許文献１には液化ガス用輸送容器の発明が記載されている。この液化ガス用輸送容器は、液化ガスを収容する金属製の内槽と、これを包囲する金属製の外槽とからなる金属製容器であり、内槽と外槽との間に形成された内外槽間領域が真空断熱層になっている。また、内槽と外槽との間は可撓性を有する遮断部材でシールされている。
【先行技術文献】
【特許文献】
【０００４】
【特許文献１】特開２０１４−１１８２０６号公報
【発明の概要】
【発明が解決しようとする課題】
【０００５】
ところで、上記のような液化ガス用輸送容器において、金属製の内槽の内部には液化ガスとして例えば液体水素や液化天然ガス等のように液化温度の低い低温流体が収容されるため、低温流体によって冷却された内槽が収縮変形する。これに対し、外槽は冷却された内槽よりも温度が高くなっている。このため、両者の熱影響差により内径に収縮誤差が生じ、内槽と外槽との間をシールする遮断部材が応力で剥がれ、真空断熱層に漏れが発生するといった問題があった。この問題は、内槽の内部に高温流体を収容し、高温流体によって加熱された内槽が膨張変形した場合にも同様に発生し得る。【０００６】
本発明はこのような問題を解決するためになされたものであり、その目的とするところは、熱影響差による収縮・膨張誤差を吸収することができる金属シール部品の製造方法を提供することにある。
【課題を解決するための手段】
【０００７】
前記の目的を達成するため、本願の請求項１に係る発明は、径が異なる金属製のテーパー筒状部を複数備え、径方向に複数山のベローズが設けられており、当該ベローズを構成する各々のテーパー筒状部の断面形状が波状に形成されているとともに、各テーパー筒状部の端面同士が溶接による接合部とされていることを特徴とする金属シール部品である。
【００１２】
前記の目的を達成するため、本願の請求項１に係る発明は、コイル状の薄板金属材から長さの異なる金属板を切断し、径方向の端面同士を溶接して径の異なる複数個の金属パイプを製作した後、この金属パイプをテーパー型で型押し加工してテーパーワッシャーとし、内側のテーパーワッシャーの外弧部分と外側のテーパーワッシャーの内弧部分とを溶接することにより、径方向に複数山のベローズが設けられた金属シール部品を製造することを特徴とする金属シール部品の製造方法である。
【００１３】
また、本願の請求項２に係る発明は、一枚の薄板金属材から径が異なる複数枚の同軸扇形状の金属ワッシャー材を同一の径方向寸法で連続的に切断し、各金属ワッシャー材の径方向端面同士を溶接して複数個のテーパー筒状の金属ワッシャーを成形した後、内側の金属ワッシャーの外弧部分と外側の金属ワッシャーの内弧部分とを溶接することにより、径方向に複数山のベローズが設けられた金属シール部品を製造することを特徴とする金属シール部品の製造方法である。
【００１４】
また、本願の請求項３に係る発明は、一枚の薄板金属材から一枚の扇形状の金属パイプ材を切断し、金属パイプ材の径方向端面同士を溶接して一本のテーパー筒状の金属パイプを成形した後、金属パイプを同一の径方向寸法で連続的に切断して口径が異なる複数個のテーパー筒状の金属ワッシャーを成形し、内側の金属ワッシャーの外弧部分と外側の金属ワッシャーの内弧部分とを溶接することにより、径方向に複数山のベローズが設けられた金属シール部品を製造することを特徴とする金属シール部品の製造方法である。
【００１５】
また、本願の請求項４に係る発明は、一枚の薄板金属材から一枚の長方形状の金属パイプ材を切断し、金属パイプ材の端面同士を溶接して一本の筒状の金属パイプを成形した後、金属パイプをテーパー型で型押し加工し、型押し加工された金属パイプを同一の径方向寸法で連続的に切断して口径が異なる複数個のテーパー筒状の金属ワッシャーを成形し、内側の金属ワッシャーの外弧部分と外側の金属ワッシャーの内弧部分とを溶接することにより、径方向に複数山のベローズが設けられた金属シール部品を製造することを特徴とする金属シール部品の製造方法である。
【発明の効果】
【００１６】
本発明によれば、内壁部と外壁部との間に金属シール部品を取り付けることにより、熱影響差によって収縮または膨張しても、径方向及び軸方向に伸縮するベローズの動きによって中心軸の角度変位を吸収することができ、その誤差が吸収される。また、ベローズを金属製としたことにより内外圧力差に対する強度が確保される。したがって、内容器の収縮または膨張が外容器に伝達することを軽減し、内外接続部分の接続応力を緩和しつつ内容器と外容器の間の開口部を確実にシールすることができるという効果がある。
【図面の簡単な説明】
【００１７】
【図１】本発明の金属シール部品を真空断熱容器の構成部品として適用した例を示す断面図である。
【図２】同金属シール部品が取り付けられた真空断熱容器の要部拡大図である。
【図３】図２のＡ部拡大図である。
【図４】現有伸縮金属ベローズの可動範囲を示す説明図である。
【図５】本発明の金属シール部品の変位吸収作用を示す説明図である。
【図６】本発明における金属シール部品の第１の製造方法を示す説明図である。
【図７】本発明における金属シール部品の第２の製造方法を示す説明図である。
【図８】本発明における金属シール部品の第３の製造方法を示す説明図である。
【図９】本発明における金属シール部品の第４の製造方法を示す説明図である。
【図１０】本発明の金属シール部品を成形ベローズとした例を示す断面図である。
【図１１】本発明の金属シール部品と金属ベローズを接続して一体化した複合金属シール部品を示す斜視図である。
【発明を実施するための形態】
【００１８】
以下、本発明を実施するための形態について、図面を参照しながら説明する。
【００１９】
図１に示すように、本実施形態の金属シール部品１０は、液化ガスを船舶で輸送する際に使用する金属製の真空断熱容器１の構成部品として適用されている。この真空断熱容器１は、例えば液体水素、液体ヘリウム、液化天然ガス等の液化ガス２を収容する金属製の内容器３と、内容器３を包囲する一回り大きな金属製の外容器４とからなる二重構造になっている。
【００２０】
また、内容器３と外容器４は、鉛直方向に同軸上で径が異なる内壁部５と外壁部６を有しており、両者間を金属シール部品１０で接続することにより開口部７が密閉されている。そして、内容器３と外容器４の間に形成された内外間領域８は、真空ポンプにより排気されて真空断熱層として機能する。
【００２１】
図２に示すように、本実施形態の金属シール部品１０は、径方向に複数山の溶接ベローズ１１がドーナツ状に設けられており、径方向に自在に伸縮するように構成されたものである。溶接ベローズ１１は、同軸上で互いに径が異なり、かつ、テーパー状に成形された金属製のテーパー筒状部１２を複数備えて構成されている。溶接ベローズ１１の内外両側にはそれぞれ取付金具９，９が溶接されており、この取付金具９，９を介して内壁部５と外壁部６に取り付け固定される。
【００２２】
図３に拡大して示すように、溶接ベローズ１１を構成するテーパー筒状部１２は、その伝熱路となる断面積をより多く確保するために、波付機によって断面形状が波状に形成されていると良い。また、各テーパー筒状部１２，１２，…の端面同士は溶接による接合部１３，１３，…とされており、径方向に沿って山折りと谷折りを交互に繰り返す蛇腹状に成形されている。
【００２３】
以上のように構成された真空断熱容器１は、内容器３の内部に高温流体（または低温流体）を貯留した場合、内容器３が加熱（または冷却）され、熱影響により膨張（または収縮）する。しかし、本実施形態では内壁部５と外壁部６の間に溶接ベローズ１１を有する金属シール部品１０が取り付けられているため、熱影響による膨張（または収縮）が起こっても、径方向及び軸方向に伸縮する溶接ベローズ１１の動きによって内壁部５と外壁部６との内径誤差が吸収される。
【００２４】
ここで、金属シール部品１０の変位吸収作用について説明する。図４に示すように、フランジに固定された現有伸縮金属ベローズの場合、伸縮に伴う中心の可動領域は点線で示す範囲である。これに対して、本実施形態の金属シール部品１０の場合、図５（ａ）のように径方向及び軸方向に伸縮する溶接ベローズ１１の動きによりＸ、Ｙ軸方向の変位を吸収するだけでなくＺ軸方向の変位を吸収することができる。また、この金属シール部品１０は、図５（ｂ）にθで示すとおり、図４の現有伸縮金属ベローズよりも大きな角度変位を吸収することができる。さらに、この金属シール部品１０は、図５（ｃ）のように内側フランジ径及び外側フランジ径の熱による膨張（または収縮）を吸収することができる。
【００２５】
したがって、この金属シール部品１０を取り付けた真空断熱容器１によれば、内容器３の膨張（または収縮）が外容器４に伝達することを軽減し、内外接続部分の接続応力を緩和しつつ開口部７を確実にシールすることができる。また、金属シール部品１０の溶接ベローズ１１は内容器３及び外容器４よりも薄肉に成形され、かつ、伝熱路を長くする蛇腹状に成形されているため、内容器３の熱が外容器４に伝達するのを効果的に軽減することができる。
【００２６】
以上が本実施形態の金属シール部品１０の構成及び作用であるが、次にその製造方法を図６〜９に基づいて説明する。
【００２７】
図６に示す第１の方法は、まずコイル状に巻かれた薄板金属材２０から長さが異なる複数枚の金属板２１，２１，…を切断する。次に、各金属板２１の径方向端面２１ａ，２１ｂ同士を溶接し、径の異なる複数個の金属パイプ２２，２２，…を製作する。その後、この金属パイプ２２をテーパー型で型押し加工し、波付機で波付け加工してテーパーワッシャー２３とする。そして、内側のテーパーワッシャー２３の外弧部分２３ａと外側のテーパーワッシャー２３の内弧部分２３ｂとを突き合わせ、上下を溶接により接合する。これにより、径方向に複数山の溶接ベローズ１１が設けられた金属シール部品１０を製造することができる。
【００２８】
図７に示す第２の方法は、まず一枚の薄板金属材２０から径が異なる複数枚の同軸扇形状の金属ワッシャー材２４，２４，…を同一の径方向寸法で連続的に切断する。次に、各金属ワッシャー材２４の径方向端面２４ａ，２４ｂ同士を溶接し、複数個のテーパー筒状の金属ワッシャー２５，２５，…を成形する。そして、内側の金属ワッシャー２５の外弧部分２５ａと外側の金属ワッシャー２４の内弧部分２５ｂとを突き合わせ、溶接により接合する。これにより、径方向に複数山の溶接ベローズ１１が設けられた金属シール部品１０を製造することができる。
【００２９】
また、図８に示す第３の方法は、まず一枚の薄板金属材２０から一枚の扇形状の金属パイプ材２６を切断し、この金属パイプ材２６の径方向端面２６ａ，２６ｂ同士を溶接して一本のテーパー筒状の金属パイプ２７を成形する。次に、この金属パイプ２７を同一の径方向寸法で連続的に切断し、口径が異なる複数個のテーパー筒状の金属ワッシャー２８，２８，…を成形する。そして、内側の金属ワッシャー２８の外弧部分２８ａと外側の金属ワッシャー２８の内弧部分２８ｂとを突き合わせ、溶接により接合する。これにより、径方向に複数山の溶接ベローズ１１が設けられた金属シール部品１０を製造することができる。
【００３０】
さらに、図９に示す第４の方法は、一枚の薄板金属材２０から一枚の長方形状の金属パイプ材２９を切断し、この金属パイプ材２９の端面２９ａ，２９ｂ同士を溶接して一本の筒状の金属パイプ３０を成形する。次に、この金属パイプ３０をテーパー型３１で型押し加工し、テーパー筒状に型押し加工された金属パイプ３０を同一の径方向寸法で連続的に切断し、口径が異なる複数個のテーパー筒状の金属ワッシャー３２，３２，…を成形する。そして、内側の金属ワッシャー３２の外弧部分３２ａと外側の金属ワッシャー３２の内弧部分３２ｂとを突き合わせ、溶接により接合する。これにより、径方向に複数山の溶接ベローズ１１が設けられた金属シール部品１０を製造することができる。
【００３１】
なお、以上説明した実施形態では、金属シール部品１０が溶接ベローズ１１により構成されているが、これに代えて、図１０に示すような成形ベローズ１４により構成されていても良い。また、図１１に示すように、径方向及び軸方向に伸縮可能な溶接ベローズ１１を有する金属シール部品１０と、これと直交するように軸方向に伸縮可能な金属ベローズ１５とを接続して一体化した複合金属シール部品４０を構成することもできる。さらには、金属シール部品１０を真空断熱容器１のような金属製容器に適用したが、これに限られず、液化ガス輸送管のような金属製二重管に適用しても良い。
【符号の説明】
【００３２】
１：真空断熱容器
２：液化ガス
３：内容器
４：外容器
５：内壁部
６：外壁部
７：開口部
８：内外間領域
９：取付金具
１０：金属シール部品
１１：溶接ベローズ
１２：テーパー筒状部
１３：接合部
１４：成形ベローズ
１５：金属ベローズ
２０：薄板金属材
２１：金属板
２２：金属パイプ
２３：テーパーワッシャー
２４：金属ワッシャー材
２５：金属ワッシャー
２６：扇形状の金属パイプ材
２７：テーパー筒状の金属パイプ
２８：金属ワッシャー
２９：長方形状の金属パイプ材
３０：筒状の金属パイプ
３１：テーパー型
３２：金属ワッシャー
４０：複合金属シール部品
【図１】
0006598248.tif 000002
【図２】
0006598248.tif 000003
【図３】
0006598248.tif 000004
【図４】
0006598248.tif 000005
【図５】
0006598248.tif 000006
【図６】
0006598248.tif 000007
【図７】
0006598248.tif 000008
【図８】
0006598248.tif 000009
【図９】
0006598248.tif 000010
【図１０】
0006598248.tif 000011
【図１１】
0006598248.tif 000012